(57)【要約】【課題】血圧上昇に対応した空調運転ができる空気調和機を得ること。【解決手段】空気調和機（１００）は、室内に存在する人の血圧を非接触で計測する血圧計測部（８）と、室内の温度を計測する温湿度センサ（６）と、室内の空調制御を行う制御部（１１）とを備え、制御部（１１）は、血圧計測部（８）で計測された血圧の単位時間当たりの上昇量が一定値以上となったとき、室内に存在する人の周囲の温度を高めるように空調制御を行う。【選択図】図１
2018146139.tif 000002
【特許請求の範囲】
【請求項１】
室内に存在する人の血圧を非接触で計測する血圧計測部と、
前記室内の温度を計測する室温計測部と、
前記室内の空調制御を行う制御部と
を備え、
前記制御部は、前記血圧計測部で計測された血圧の単位時間当たりの上昇量が一定値以上となったとき、前記人の周囲の温度を高めるように前記空調制御を行う空気調和機。
【請求項２】
前記制御部は、
血圧が高血圧である前記人に適した運転モードが選択された状態で、前記血圧計測部で計測された血圧の単位時間当たりの上昇量が一定値以上となったとき、前記人の周囲の温度を高めるように前記空調制御を行い、
前記運転モードが選択されていない状態で、前記血圧計測部で計測された血圧の単位時間当たりの上昇量が一定値以上となったとき、設定された目標温度に前記室内の温度を追従させる前記空調制御を行う請求項１に記載の空気調和機。
【請求項３】
調和空気の風向を制御するルーバを備え、
前記制御部は、前記血圧計測部で計測された血圧の単位時間当たりの上昇量が一定値以上となったとき、前記ルーバの風向を起床した前記人に設定する請求項１又は請求項２に記載の空気調和機。
【請求項４】
調和空気の風向を制御する２つのルーバを備え、
前記制御部は、前記血圧計測部で計測された血圧の単位時間当たりの上昇量が一定値以上となったとき、一方の前記ルーバの風向を起床した前記人に設定し、他方の前記ルーバの風向を前記人以外の領域に設定する請求項１又は請求項２に記載の空気調和機。
【請求項５】
前記血圧計測部は、空気調和機の室内機又はリモートコントローラに設けられた光学式、電磁波式又は超音波式のセンサである請求項１から請求項４の何れか一項に記載の空気調和機。
【請求項６】
前記血圧計測部は、前記室内に設けられた光学式、電磁波式又は超音波式のセンサであり、
前記センサは、計測した血圧の計測値を室内機に送信する送信部を備え、
前記室内機は、前記送信部から送信される計測値を受信して前記制御部に出力する受信部を備えた請求項１から請求項４の何れか一項に記載の空気調和機。
【請求項７】
前記血圧計測部は、前記人の身体に装着可能な光学式、電磁波式又は超音波式のセンサであり、
前記センサは、計測した血圧の計測値を室内機に送信する送信部を備え、
前記室内機は、前記送信部から送信される計測値を受信して前記制御部に出力する受信部を備えた請求項１から請求項４の何れか一項に記載の空気調和機。
【請求項８】
前記制御部は、起床した前記人の血圧が上昇したことを示す報知メッセージ情報を通信機器へ報知する請求項１から請求項７の何れか一項に記載の空気調和機。
【請求項９】
前記制御部は、血圧が上昇した前記人の安否を確認するための確認メッセージ情報を通信機器へ送信する請求項１から請求項８の何れか一項に記載の空気調和機。
【請求項１０】
前記制御部は、前記確認メッセージ情報に対する安否応答が得られないとき、起床した前記人の血圧が上昇したことを示す報知メッセージ情報を通信機器へ報知する請求項９に記載の空気調和機。
【請求項１１】
前記制御部は、特定の時刻に特定の室内温度となるように空調制御を行い、当該時刻で計測された血圧を記憶する請求項１から請求項１０の何れか一項に記載の空気調和機。
【請求項１２】
前記制御部は、就寝時の血圧と起床時の血圧とを記憶する請求項１１に記載の空気調和機。
【請求項１３】
前記制御部は、前記血圧計測部で計測された血圧情報をインターネット又は公共無線通信網を介して通信機器に送信する請求項１から請求項１２の何れか一項に記載の空気調和機。
【請求項１４】
前記人の体動を計測する体動計測部を備え、
前記制御部は、前記体動計測部で計測された体動データに基づき前記人が起床したことを検出し、かつ、前記血圧計測部で計測された血圧の単位時間当たりの上昇量が一定値以上となったとき、前記人の周囲の温度を高めるように前記空調制御を行う請求項１から請求項１３の何れか一項に記載の空気調和機。
【発明の詳細な説明】
【技術分野】
【０００１】
本発明は、室内機及び室外機を備えた空気調和機に関する。
【背景技術】
【０００２】
従来より、人の心拍、血圧、脈拍及び体温といった生理量を計測し、計測結果をスマートフォン又はタブレット端末に表示させて健康管理に利用すると共に人の状態に応じた空調制御を行う技術が知られている。高血圧は、自覚症状がなく放置されやすいが、脳出血及び脳梗塞といった大病を引き起こすこともあるため、血圧は日常から管理すべき生理量である。
【０００３】
特許文献１に開示される空気調和機ではリモコンに血圧測定部が設けられ、血圧測定部で計測された血圧値に応じた空調運転が行われる。血圧測定部によって計測された血圧値を受信した空気調和機は、血圧が異常値を示すか否かを判定し、異常値でない場合には通常運転を行い、異常値である場合には健康運転を行う。通常運転は、ユーザが設定した運転モード及び設定温度に従って行われる空調運転である。健康運転は、冷やし過ぎ又は暖め過ぎを防ぐために設定温度を変更すると共に圧縮機の駆動量を向上させる空調運転である。
【先行技術文献】
【特許文献】
【０００４】
【特許文献１】実開平６−４５３１号公報
【発明の概要】
【発明が解決しようとする課題】
【０００５】
しかしながら特許文献１に開示される空気調和機では、ユーザが血圧計測部に指を挿入して一定の操作をしたときに初めて血圧が計測される。従って特許文献１に開示される空気調和機ではユーザの操作がないときには血圧が計測されず、突然の血圧上昇に対応した空調運転ができないという課題がある。
【０００６】
本発明は、上記に鑑みてなされたものであって、血圧上昇に対応した空調運転ができる空気調和機を得ることを目的とする。
【課題を解決するための手段】
【０００７】
上述した課題を解決し、目的を達成するために、本発明の空気調和機は、室内に存在する人の血圧を非接触で計測する血圧計測部と、室内の温度を計測する室温計測部と、室内の空調制御を行う制御部とを備え、制御部は、血圧計測部で計測された血圧の単位時間当たりの上昇量が一定値以上となったとき、人の周囲の温度を高めるように空調制御を行う。
【発明の効果】
【０００８】
本発明によれば、血圧上昇に対応した空調運転ができる、という効果を奏する。
【図面の簡単な説明】
【０００９】
【図１】実施の形態に係る空気調和機の構成例を示す図
【図２】実施の形態に係る空気調和機の設置例を示す模式図
【図３】実施の形態に係る空気調和機の動作例を示すフローチャート
【図４】ユーザの血圧の推移の一例を説明するための図
【発明を実施するための形態】
【００１０】
以下に、本発明の実施の形態に係る空気調和機を図面に基づいて詳細に説明する。なお、この実施の形態によりこの発明が限定されるものではない。
【００１１】
実施の形態．
図１は実施の形態に係る空気調和機の構成例を示す図である。図２は実施の形態に係る空気調和機の設置例を示す模式図である。本実施の形態に係る空気調和機１００は寝室２００に設置され、寝室２００に設置された寝具２０１には、睡眠中のユーザ３００が存在する。空気調和機１００は、寝室２００内に設置された室内機２と、冷媒配管３を介して室内機２に接続される室外機４とを備える。空気調和機１００は、冷房運転及び暖房運転を含む空調運転が可能である。
【００１２】
室内機２は、調和空気の風向を制御する複数のルーバ５と、少なくとも室内の温度を計測する室温計測部である温湿度センサ６と、室内のユーザ３００の表面温度を計測する表面温度センサ７と、血圧計測部８と、計時情報を出力する計時部９と、端末機器４００との間で無線通信を行う通信部１０と、空調運転制御を含む各種制御を行う制御部１１とを備える。
【００１３】
制御部１１には、温湿度センサ６、表面温度センサ７、血圧計測部８、計時部９及び通信部１０が接続される。図１及び図２では、空調運転の実現に必要な冷凍サイクル装置を構成する圧縮機、熱交換器及びインバータといった要素の図示が省略されている。
【００１４】
温湿度センサ６は、温度センサ及び湿度センサを有し、周期的に温度及び湿度を計測して、計測した温度及び湿度を温湿度計測値として制御部１１に出力する。
【００１５】
表面温度センサ７は、不図示の複数のサーモパイルを有する赤外線センサを用いて構成され、周期的に室内の被計測体の表面温度を計測する。表面温度センサ７は、赤外線センサを回転駆動することで温度計測範囲を走査し、赤外線センサの出力を用いて温度計測範囲の熱画像データを生成する。温度計測範囲内の被計測体には、ユーザ３００、床面、壁面及び寝具２０１が含まれる。表面温度センサ７を用いることにより、室内における人の有無の判定と、室内に人が存在する場合には人の位置の特定と、人の表面温度の計測とが可能となる。
【００１６】
血圧計測部８は、ユーザ３００の血圧を非接触で計測するものであり、ＬＥＤ（Ｌｉｇｈｔ  Ｅｍｉｔｔｉｎｇ  Ｄｉｏｄｅ）からユーザ３００へ向けて照射された近赤外線がユーザ３００で反射され、その反射量の強度値から血圧を推定し、推定した血圧を血圧計測量として制御部１１に出力する。
【００１７】
計時部９は、リアルタイムクロックであり、計時情報を制御部１１に出力する。計時情報は、月、日、時、分及び秒の情報である。
【００１８】
通信部１０は、無線通信用の送受信装置である。通信部１０は端末機器４００との間でデータの送受信を行う。端末機器４００としては、空気調和機１００専用のリモートコントローラと、空気調和機１００の空調制御用のアプリケーションにより空気調和機１００を遠隔操作するスマートフォンと、ＨＥＭＳ（Ｈｏｍｅ  Ｅｎｅｒｇｙ  Ｍａｎａｇｅｍｅｎｔ  Ｓｙｓｔｅｍ）とを例示できる。また端末機器４００は、不図示のインターネット及び公共無線通信網を介して通信部１０に接続される機器でもよい。
【００１９】
通信部１０と端末機器４００との間の通信は、無線通信であっても有線通信であってもよい。無線通信としては、Ｗｉ−Ｆｉ（登録商標）のようなＩＥＥＥ８０２．１１シリーズの無線ＬＡＮ通信と、標準規格化されたＢｌｕｅｔｏｏｔｈ（登録商標）と、９００ＭＨｚ帯の特定小電力通信とを例示できる。有線通信としては、ＩＥＥＥ８０２．３で規格化されたＥｔｈｅｒｎｅｔ（登録商標）と、ＲＳ４８５通信とを例示できる。
【００２０】
制御部１１は、制御に必要な演算を実行する演算部１１ａと、演算に用いられるデータを記憶する記憶部１１ｂとを備える。
【００２１】
演算部１１ａは、温湿度センサ６で計測された温度及び湿度と、表面温度センサ７で計測されたユーザ３００の表面温度と、血圧計測部８で計測された血圧値とに基づき、不図示の冷凍サイクル装置の運転指令データを生成することにより、空気調和機１００の空調運転を制御する。演算部１１ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）又はシステムＬＳＩ（Ｌａｒｇｅ  Ｓｃａｌｅ  Ｉｎｔｅｇｒａｔｉｏｎ）により実現される。
【００２２】
記憶部１１ｂは、温湿度センサ６で計測された温度及び湿度と、表面温度センサ７で計測されたユーザ３００の表面温度と、血圧計測部８で計測された血圧値と、寝室２００の温度目標値とを記憶する。記憶部１１ｂは、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリー、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、又はＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）といった半導体メモリである。半導体メモリは不揮発性メモリでもよいし揮発性メモリでもよい。また記憶部１１ｂは、演算部１１ａが各種演算処理を行う際の作業用メモリとしても使用される。
【００２３】
次に図３及び図４を用いて空気調和機１００の動作を説明する。ここでは早朝高血圧検知モードを例に説明する。早朝高血圧検知モードとは、ユーザ３００の起床時の血圧が短時間で急激に上昇した事を検知するための動作パターンである。早朝高血圧検知モードは、１つの動作パターンに限定されず、冷房運転時にユーザ３００の血圧上昇を検知する第１のモードと、暖房運転時にユーザ３００の血圧上昇を検知する第２のモードと、冷暖房運転の停止時にユーザ３００の血圧上昇を検知する第３のモードとを例示できる。本実施の形態では主に第２のモード又は第３のモードが選択されているときの空気調和機１００の動作について説明する。なお、これらのモードはユーザが端末機器４００を用いて任意に選択できるものとし、選択されたモードが記憶部１１ｂに記憶され、演算部１１ａが記憶部１１ｂに記憶されたモードに応じた動作を実行することにより、急激な血圧上昇が生じた場合でも血圧上昇を抑制する空調動作が実現される。
【００２４】
図３は実施の形態に係る空気調和機の動作例を示すフローチャートである。図４はユーザの血圧の推移の一例を説明するための図である。図４の横軸は時刻を表し、図４の縦軸はユーザ３００の血圧を表す。図４には深夜の時刻「０：００」から日中の時刻「１２：００」までの血圧の変動が示される。
【００２５】
血圧は１日で周期的な変動を繰り返しており、一般的には、睡眠中の血圧が１日中で最も低く、起床後の活動と共に血圧が上昇する。また血圧は、１日の周期的な変動だけでなく、食事、運動、入浴、排せつ又はベッドの出入りの際にも変動する。また血圧は、ユーザ３００の周辺温度、ユーザ３００の緊張の度合い、又はユーザ３００の興奮の度合いによっても変動する。高血圧症の人は定期的な血圧計測が健康管理に必要となるが、このような人の血圧は睡眠中では安定しており、睡眠期間は血圧の定期的なデータ取得に適した時間帯である。
【００２６】
睡眠を開始するユーザ３００が端末機器４００を操作することにより、端末機器４００からの運転開始指令を受信した空気調和機１００の演算部１１ａは、表面温度センサ７で計測された表面温度を示す熱画像データを用いてユーザ３００の位置を検出する（ステップＳ１）。図２に示すように掛け布団又は毛布をかけているユーザ３００の顔の表面温度は３５［℃］前後であり、顔の周囲温度はこれよりも低い温度となる。これらの温度を比較することにより、ユーザ３００の位置を検出できる。
【００２７】
次に血圧計測部８では一定の計測周期でユーザ３００の血圧の計測が開始される（ステップＳ２）。睡眠時の血圧は短時間に大きく変動することがないため、血圧の計測周期は、睡眠中のユーザ３００の血圧の経時的変動の傾向を推定可能な時間であれば１分でもよいし１０分でもよい。計測周期毎に計測された血圧の値は記憶部１１ｂに記憶される。記憶部１１ｂに記憶された複数の血圧の値は、後述するステップＳ９の血圧上昇判定で用いられる。
【００２８】
次に演算部１１ａは、表面温度センサ７から出力された熱画像データを用いて、ユーザ３００の睡眠判定を行う（ステップＳ３）。記憶部１１ｂには表面温度センサ７から出力された熱画像データが一定周期毎に記憶される。演算部１１ａは、記憶部１１ｂに時系列的に記憶された複数の熱画像データからユーザ３００の特定の部位の変位量を推定する。この変位量が睡眠判定しきい値以下となったか否かにより、ユーザ３００が睡眠中か否かを判定する。この変位量は、熱画像データから求められる単位時間当たりの体動の大きさから求めたものであり、ユーザ３００の体動量に等しい。ユーザ３００の体動量には個人差があり、体質、年齢、性別及び体格といった要因でも異なる。そのため、睡眠判定しきい値は、個々のユーザ３００毎に日々の同時間帯における変位量データを蓄積しておき、それぞれのユーザ３００の数日分の変位量データから平均値を算出して、この平均値に基づいて設定される。
【００２９】
なおステップＳ３の睡眠判定には、熱画像データから求められる単位時間当たりの体動回数が一定回数以下となったか否かにより判定してもよい。また、本実施の形態では、表面温度センサ７で計測された熱画像データを用いて睡眠判定がなされているが、表面温度センサ７の代わりに、非接触で動体を測定できるドップラーセンサを用いてユーザ３００の呼吸及び心拍を測定することにより睡眠判定を行ってもよい。また表面温度センサ７の代わりに、ユーザ３００に取り付けられた加速度センサ又は寝具２０１に設置された加速度センサから出力された加速度データを用いることにより睡眠判定を行ってもよい。また表面温度センサ７の代わりに、寝具２０１に取り付けられた圧力センサから出力された圧力データを用いることにより睡眠判定を行ってもよい。
【００３０】
このようにステップＳ３の睡眠判定には、室内のユーザ３００の体動を計測する体動計測部である表面温度センサ７、ドップラーセンサ、加速度センサ又は圧力センサといったセンサ類で計測された体動データを用いることができる。
【００３１】
ユーザ３００が睡眠中ではない場合（ステップＳ３：Ｎｏ）、演算部１１ａはステップＳ２に進む。ユーザ３００が睡眠中の場合（ステップＳ３：Ｙｅｓ）、演算部１１ａは、ステップＳ４に進み、睡眠状態に入る直前に計測された血圧を、この血圧が計測された時刻に対応付けて記憶部１１ｂに記憶させる。なお、ステップＳ２において、一定周期で計測が開始された後の血圧も計測された時刻に対応付けて記憶部１１ｂに記憶させてもよい。
【００３２】
次に演算部１１ａは、ステップＳ３と同様の睡眠判定の方法により、ユーザ３００が起床したか否かを判定する（ステップＳ５）。すなわち演算部１１ａは、記憶部１１ｂに時系列的に記憶された複数の熱画像データからユーザ３００の特定の部位の変位量を推定し、変位量が起床判定しきい値を超えたか否かにより、ユーザ３００が起床したか否かを判定する。ユーザ３００は寝具２０１内にいる場合でも起床判定は可能である。
【００３３】
ユーザ３００が起床していない場合（ステップＳ５：Ｎｏ）、演算部１１ａはステップＳ５を繰り返す。ユーザ３００が起床した場合（ステップＳ５：Ｙｅｓ）、演算部１１ａは、ステップＳ６に進む。
【００３４】
次に演算部１１ａは、空気調和機１００が暖房運転中であるか否かを判定し、暖房運転中ではない場合（ステップＳ６：Ｎｏ）、暖房運転を開始させる（ステップＳ７）。これにより寝室２００内の温度を上昇させる。暖房運転中である場合（ステップＳ６：Ｙｅｓ）、演算部１１ａは設定温度を上げる（ステップＳ８）。設定温度の上昇量は端末機器４００において任意に設定できるものとする。
【００３５】
血圧はユーザ３００の周囲温度が低くなるほど高くなる傾向があるため、冬場では、体温で温められた寝具２０１から冷え切った室内に移動したユーザ３００の血圧が急上昇することがある。ユーザ３００の起床時に暖房運転を開始させることにより、端末機器４００において入りタイマーの設定時刻が間違えている場合、又は入りタイマーの設定が忘れられている場合でも、起床時に室内を暖めておくことができ、起床時の血圧の急激な上昇が抑制される。
【００３６】
次に演算部１１ａは、ユーザ３００の血圧が急上昇しているか否かを判定する。脳出血及び脳梗塞は起床時の朝方に多く発生し、これは早朝に高血圧となることによる血圧の急激な上昇が原因と考えられる。演算部１１ａは、血圧計測部８で一定時間毎に計測された血圧の内、最も新しく計測された血圧の値とこの血圧が計測される直前の血圧の値との差分を求め、差分が血圧判定しきい値を超えた否かにより、血圧の急激な上昇が生じているか否かを判定する（ステップＳ９）。すなわち、演算部１１ａは、血圧計測部８で計測された血圧の単位時間当たりの上昇量が一定値以上となったとき、ユーザ３００の周囲の温度を高めるように空調制御を行う。
【００３７】
なお、血圧の単位時間当たりの上昇量には個人差があり、また当該上昇量は、体質、年齢、性別及び体格といった要因でも異なる。そのため血圧判定しきい値は、個々のユーザ３００毎に日々の血圧差分データを蓄積しておき、それぞれのユーザ３００の数日分の血圧差分データから平均値を算出して、この平均値に基づいて設定される。血圧判定しきい値は、計測された血圧が高血圧状態と判定される値に設定される。
【００３８】
血圧の急激な上昇が生じていない場合（ステップＳ９：Ｎｏ）、演算部１１ａはステップＳ１３に進み、血圧の急激な上昇が生じている場合（ステップＳ９：Ｙｅｓ）、演算部１１ａはステップＳ１０に進む。
【００３９】
演算部１１ａは、２つのルーバ５の内、一方の風向を起床したユーザ３００に設定することにより、室内機２から排出される温風の一部をユーザ３００に吹き付け（ステップＳ１０）、他方の風向をユーザ３００以外の領域に設定することにより、室内機２から排出される残りの温風を寝室２００全体に循環させる。これによりユーザ３００の周辺の温度を急速に高めることができると共に、寝具２０１の内部の温度と室温との温度差を低減できる。
【００４０】
次に演算部１１ａは、ユーザ３００に対して安否確認を行う。安否確認は、予め記憶部１１ｂに記憶された安否確認メッセージ情報が演算部１１ａに読み出され、読み出された安否確認メッセージ情報が通信部１０を介して端末機器４００に送信されることにより行われる。安否確認メッセージ情報を受信した端末機器４００の表示画面には安否確認メッセージが表示され、安否確認メッセージの表示後に当該メッセージに対する応答操作が端末機器４００で行われたとき、端末機器４００から送信される応答データが演算部１１ａで受信される。安否確認メッセージの内容は、ユーザ３００の安否状態を確認できる情報であればよく「体調に異常はありませんか」といった情報を例示できる。
【００４１】
ユーザ３００による安否応答がある場合（ステップＳ１１：Ｙｅｓ）、演算部１１ａはステップＳ１３に進む。ユーザ３００による安否応答がない場合（ステップＳ１１：Ｎｏ）、演算部１１ａは、予め記憶部１１ｂに記憶された報知メッセージ情報を読み出し、読み出した報知メッセージ情報を通信部１０を介して、第３者の通信機器に報知する（ステップＳ１２）。第３者の通信機器はスマートフォンでもよいしＨＥＭＳでもよい。ユーザ３００が一人暮らしの高齢者の場合、親族のスマートフォンに報知メッセージ情報が表示されるようにしてもよい。報知メッセージの内容は、ユーザ３００の安否確認を促すことができる情報であればよく、「家族の安否確認が必要です」といった情報を例示できる。
【００４２】
ステップＳ１３において、演算部１１ａは、起床後に計測された血圧を、この血圧が計測された時刻に対応付けて記憶部１１ｂに記憶させる。起床時の血圧は、毎日決まった時刻に決まった温度下で計測することが理想的である。起床時の血圧は、起床後のユーザ３００が特定の場所に移動したところで計測されたものでもよいし、同じ室温に調節された室内環境下で起床直後に計測されたものでもよい。
【００４３】
なお血圧計測部８は、光学式のセンサに限定されず、非接触で血圧を計測するセンサであれば超音波式又は電磁波式のセンサでもよい。また血圧計測部８は、室内機２に設ける代わりに、端末機器４００であるリモートコントローラに設けてもよい。この場合、リモートコントローラには、計測した血圧の計測値を室内機２に送信する送信部を備え、室内機２は、当該送信部から送信される計測値を受信して制御部１１の演算部１１ａに出力する受信部を備える。また血圧計測部８は、寝具２０１又は寝室２００の床に設置された光学式、電磁波式又は超音波式のセンサでもよいし、ユーザ３００の身体に装着可能な光学式、電磁波式又は超音波式のセンサでもよい。この場合、これらのセンサは、計測した血圧の計測値を室内機２に送信する送信部を備え、室内機２は、当該送信部から送信される計測値を受信して制御部１１の演算部１１ａに出力する受信部を備える。この構成により、様々な種類の血圧計測部８を用いてユーザ３００の血圧の上昇を検出できると共に、一般に流通する血圧検出器を用いてユーザ３００の血圧の上昇を検出できる。またリモートコントローラに設けられた血圧計測用のセンサ、寝具２０１に設けられた血圧計測用のセンサ、又は寝室２００の床に設けられた血圧計測用のセンサは、ユーザ３００の近くに設置できるため、血圧計測精度が高く、室内機２が設置された室内に存在する血圧計測対象ではない人の血圧が計測されるといったことを回避できる。
【００４４】
なお、報知メッセージ情報の送信は、ステップＳ１１の安否応答がないときに限定されず、ステップＳ９において血圧の急激な上昇が発生したときでもよい。このように構成することにより、より迅速に安否確認を促すことができるため、血圧上昇に伴う障害の発生を軽減できる。
【００４５】
なお、演算部１１ａは、特定の時刻に特定の室内温度となるように空調制御を行い、当該時刻で計測された血圧を記憶するように構成してもよい。この構成により、就寝時の血圧と、起床後の安定した状態での血圧とを毎日取得することができ、日々の健康管理に役立てることができ、室温データと合わせた信頼度の高いデータを医師に提示できるため、病状の早期発見が期待できる。
【００４６】
なお、演算部１１ａは、血圧計測部８で計測された血圧の情報をインターネット又は公共無線通信網を介して通信機器に送信してもよい。この構成により、脳卒中又は脳梗塞を引き起こす可能性のある血圧の急上昇を第三者に報知でき、一人暮らしのユーザ３００が動けなくなった場合にも第三者による救援が可能になる。
【００４７】
なお、本実施の形態では、演算部１１ａは、体動計測部で計測された体動に基づき人が起床したことを検出し、かつ、血圧計測部８で計測された血圧の単位時間当たりの上昇量が一定値以上となったときに、ユーザ３００の周囲の温度を高めるように空調制御を行う構成例を説明したが、体動計測部で計測された体動データを用いずに、血圧計測部８で計測された血圧の単位時間当たりの上昇量が一定値以上となったときにユーザ３００の周囲の温度を高める空調制御をする構成としてもよい。この構成により空気調和機１００の構成が簡素化され、空気調和機１００の信頼性が高まると共に製造コストを低減することができる。
【００４８】
なお、演算部１１ａは、血圧が高血圧であるユーザ３００に適した運転モードが選択された状態で血圧の上昇を検出した場合、ユーザ３００の周囲の温度を高める空調制御を行い、当該運転モードが選択されていない状態で血圧の上昇を検出した場合、端末機器４００で設定された目標温度に室内の温度を追従させる空調制御を行う構成としてもよい。この構成により、運転モードが選択されていれているときには寝室２００内における人の位置にかかわらず継続的に血圧の計測ができるため、健康管理上の重要な血圧の計測精度の向上を図ることができる。
【００４９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５０】
２  室内機、３  冷媒配管、４  室外機、５  ルーバ、６  温湿度センサ、７  表面温度センサ、８  血圧計測部、９  計時部、１０  通信部、１１  制御部、１１ａ  演算部、１１ｂ  記憶部、１００  空気調和機、２００  寝室、２０１  寝具、３００  ユーザ、４００  端末機器。
【図１】
2018146139.tif 000003
【図２】
2018146139.tif 000004
【図３】
2018146139.tif 000005
【図４】
2018146139.tif 000006